(57)【要約】  この発明の紙幣処理装置１は、紙幣の種類を識別するための識別手段６と、識別手段６で識別された所定の種類の紙幣を集積するための集積手段３２〜３６と、集積手段３２〜３６で集積された紙幣を帯封するための帯封手段５１とを備える。帯封手段５１は、複数のリールテープ５２、５３をセットするためのテープセット部８０と、テープセット部８０にセットされたいずれかのリールテープ５２または５３から引き出したテープＴ１またはＴ２を用いて、集積された紙幣を結束するための帯封機構５４と、識別手段６によって識別された紙幣の種類に応じて、テープセット部８０から帯封機構５４へと与えるテープＴ１またはＴ２を切り換えるためのテープ切り換え手段９６とを含んでいる。
2009107207.tif 000002
【特許請求の範囲】
【請求項１】
紙幣を処理するための紙幣処理装置であって、
紙幣の種類を識別するための識別手段と、
前記識別手段で識別された所定の種類の紙幣を集積するための集積手段と、
前記集積手段で集積された紙幣を帯封するための帯封手段とを備え、
前記帯封手段は、
複数のリールテープをセットするためのテープセット部と、
前記テープセット部にセットされたいずれかのリールテープから引き出したテープを用いて集積された紙幣を帯封するための帯封機構と、
前記識別手段によって識別された紙幣の種類に応じて、前記テープセット部から帯封機構へと与えるテープを切り換えるためのテープ切り換え手段と、
を含むことを特徴とする、紙幣処理装置。
【請求項２】
前記テープ切り換え手段は、
前記テープセット部にセットされるリールテープごとに対応して設けられた複数のテープ繰り出し機構と、
前記複数のテープ繰り出し機構を一体的にスライド移動させ、いずれか１つのテープ繰り出し機構を前記帯封機構に臨ませるシフト機構と、
を含むことを特徴とする、請求項１記載の紙幣処理装置。
【請求項３】
前記複数のテープ繰り出し機構は、それぞれ、リールテープから繰り出されるテープの繰り出し方向を略９０°転換する転換経路を有することを特徴とする、請求項２記載の紙幣処理装置。
【請求項４】
前記シフト機構は、前記テープセット部および複数のテープ繰り出し機構を一体的にスライドさせることを特徴とする、請求項２記載の紙幣処理装置。
【請求項５】
前記帯封手段で帯封する紙幣のうち、予め定める種類の紙幣を帯封するために、前記テープセット部には、同一種類のリールテープが複数個セットされることを特徴とする、請求項１〜４のいずれかに記載の紙幣処理装置。
【請求項６】
前記予め定める種類の紙幣を帯封するテープは、常時、前記帯封機構へ与えられる位置にされていることを特徴とする、請求項５記載の紙幣処理装置。
【発明の詳細な説明】
【技術分野】
【０００１】
この発明は、紙幣を所定枚数集積し、集積した紙幣を帯封する機構を有する紙幣処理装置に関し、特に、複数種類のテープを選択的に使用して紙幣を帯封することのできる紙幣処理装置に関する。
【背景技術】
【０００２】
金融機関等においては、回収した紙幣等を整理するために紙幣処理装置が用いられている。この種の紙幣処理装置は、回収された紙幣を入金口から装置内に取り込み、紙幣の種別を判別し、種別毎に紙幣を集積する。そして、予め定める種類（金種）の紙幣は、たとえば１００枚を集積単位として、帯封装置へ搬送し、テープによって紙幣束（１００枚の集積紙幣）に帯封する。【０００３】
従来の紙幣処理装置では、一般に、装置内に１種類のテープだけが配置されており、紙幣の帯封にはこの１種類のテープが使用される。（たとえば下記特許文献１参照）
ところが、回収した紙幣を整理する際に、金種毎に帯封するテープの色を変えるように規定している国もある。かかる規定に対応するための従来装置として、たとえば下記特許文献２には、白無地テープを用い、帯封する紙幣の金種が変わった場合、その金種に対応する色をテープに印刷し、印刷したテープを用いて紙幣の帯封を行う紙幣結束処理機が開示されている。【０００４】
上記装置は、帯封する際に、白無地テープにインクジェットで色付けするため、金種別に、紙幣を、色の異なるテープで帯封することができる。しかし、テープに使用の都度印刷を施すため、多種類のインクを装置内に収容しておかなければならず、また、インク補充に手間がかかり、インクの補充費用も嵩むという欠点があった。
また、下記特許文献３には、装置内に２つの帯ロールを設け、一方の帯ロールから供給される帯が減少すると、帯ロール全体を回転させて、他方の帯ロールから帯が供給されるように、帯の自動交換を行う紙葉類処理装置が開示されている。この公報に開示された装置は、２巻の帯ロールを有するが、帯封処理毎に、２巻の帯ロールの一方を選択し、選択した帯ロールから帯を繰り出すという使用の仕方はできない。また、帯ロールの交換時には、２巻の帯ロール全体を回転させる機構のため、当該機構が比較的大きなスペースを必要とし、大型の装置になるという欠点を有している。
【特許文献１】特開２００６−１０７２１２号公報
【特許文献２】特開２００４−２６２４５７号公報
【特許文献３】特開平１１−１２０４１２号公報
【発明の開示】
【発明が解決しようとする課題】
【０００５】
この発明は、上述のような背景技術のもとになされたものであり、回収した紙幣を金種毎に分類して集積し、所定枚数の紙幣を帯封する際に、金種に応じて種類の異なるテープによって帯封することのできる紙幣処理装置を提供することを主たる目的とする。
この発明は、また、複数のリールテープをセットするテープセット部を備え、紙幣の種類に応じて、繰り出すテープを簡単に切り換えることのできる紙幣処理装置を提供することを他の目的とする。【０００６】
さらに、この発明は、省スペースで簡易な機構により、複数のリールテープから繰り出すテープを切り換えることのできる紙幣処理装置を提供することをさらに他の目的とする。
【課題を解決するための手段】
【０００７】
この発明の紙幣処理装置（１）は、紙幣の種類を識別するための識別手段（６）と、前記識別手段で識別された所定の種類の紙幣を集積するための集積手段（３２〜３６）と、前記集積手段で集積された紙幣を帯封するための帯封手段（５１）とを備え、前記帯封手段（５１）は、複数のリールテープをセットするためのテープセット部（８０）と、前記テープセット部にセットされたいずれかのリールテープから引き出したテープを用いて集積された紙幣を結束するための帯封機構（５４）と、前記識別手段によって識別された紙幣の種類に応じて、前記テープセット部から帯封機構へと与えるテープを切り換えるためのテープ切り換え手段（９６、１０２）と、を含むことを特徴とする、紙幣処理装置である。【０００８】
なお、この項において、括弧内の英数字は、後述の実施形態における対応構成要素の参照符号を示すが、これらの参考符号により発明を限定する趣旨ではない。
上記の構成によれば、テープセット部（８０）には複数のリールテープ（５２、５３、１０３〜１０６）がセットされており、セットされたいずれかのリールテープからテープが帯封機構（５４）へ与えられるように、テープ切り換え手段（９６、１０２）によりテープが切り換えられる。従って、集積された紙幣の種類（金種）に応じたテープを用いて、紙幣の帯封を行うことができる。【０００９】
テープ切り換え手段（９６、１０２）は、識別手段によって識別された紙幣の種類に応じてテープを切り換えるため、紙幣処理装置が整理する紙幣の種類に応じて、その都度の適切なタイミングで、テープの切り換えを行える。
また、この発明の紙幣処理装置（１）は、前記テープ切り換え手段が、前記テープセット部にセットされるリールテープごとに対応して設けられた複数のテープ繰り出し機構（８６、９２、１０８〜１１１）と、前記複数のテープ繰り出し機構を一体的にスライド移動させ、いずれか１つのテープ繰り出し機構を前記帯封機構に臨ませるシフト機構（９５、９６）と、を含む構成であってもよい。【００１０】
上述の構成によれば、リールテープ毎にテープ繰り出し機構（８６、９２、１０８〜１１１）が備えられており、シフト機構（９５、９６）により、複数のテープ繰り出し機構が一体的にスライド移動されることにより、１つのテープが帯封機構に供給できる構成であるから、テープ切り換え手段を比較的簡易に構成でき、かつ、テープ切り換え手段が占有する空間面積も少なくて済む。【００１１】
さらに、シフト機構により、複数のテープ繰り出し機構が一体的にスライド移動されるので、任意のテープ繰り出し機構を帯封機構に臨ませることができ、テープの切り換えを確実に行わせることができる。
この発明は、また、前記複数のテープ繰り出し機構は、それぞれ、リールテープから繰り出されるテープの繰り出し方向を略９０°転換する転換経路（８５、９１）を有していてもよい。【００１２】
上記の構成によれば、各リールテープ毎に対応して設けられた複数のテープ繰り出し機構は、それぞれ、テープの繰り出し方向を略９０°転換する転換経路（８５、９１）を有するので、リールテープは固定したまま、テープ繰り出し機構（８６、９２）だけをスライド移動させることにより、テープ繰り出し機構を帯封機構に臨ませ、所望のテープを帯封機構へ与えることができる。換言すれば、複数のリールテープは固定したまま、複数のテープ繰り出し機構を一体的にスライド移動させるという構成であるから、テープ切り換え手段をより小型にでき、小さな占有空間にテープ切り換え手段を組み込むことができる。その結果、装置の大型化を招くことがない。【００１３】
この発明は、また、前記シフト機構（１０２）は、前記テープセット部および複数のテープ繰り出し機構を一体的にスライドさせる構成であってもよい。
上記の構成によれば、シフト機構は、テープセット部およびテープ繰り出し機構を一体的にスライドさせるので、スライド移動という簡単な機構を用いてテープの切り換えを確実に行うことができる。また、スライド移動は、装置内の底面または側面等の壁面沿いに行われるため、シフト機構が占有する空間面積が小さくて済み、装置の小型化を実現することができる。【００１４】
この発明の紙幣処理装置は、さらに、前記帯封手段で帯封する紙幣のうち、予め定める種類の紙幣を帯封するために、前記テープセット部（８０）には、同一種類のリールテープが複数個セットされてもよい。
上述の構成によれば、回収枚数の多い紙幣等に対応して、集積した紙幣を帯封するためのテープの使用量が多い場合であっても、テープ補充等のメンテナンス処理が少なくて済み、使い勝手の良い紙幣処理装置とすることができる。【００１５】
この発明の紙幣処理装置は、さらに、前記予め定める種類の紙幣を帯封するテープは、常時、前記帯封機構へ与えられる位置にされていることが望ましい。
上記構成によれば、リールテープのうちの予め定めるリールテープが常にホームポジションに位置されるので、使用頻度の高いテープをホームポジションに配置することにより、帯封処理が迅速かつスムーズに行われる紙幣処理装置とすることができる。
【図面の簡単な説明】
【００１６】
【図１Ａ】この発明の一実施形態に係る紙幣処理装置の全体構成を示す図解的な縦断面構造図である。
【図１Ｂ】この発明の一実施形態に係る紙幣処理装置の全体構成を示す図解的な縦断面構造図である。
【図２Ａ】この発明の一実施形態に係る紙幣処理装置に備えられている帯封機構における帯封動作を説明するための動作説明図である。
【図２Ｂ】この発明の一実施形態に係る紙幣処理装置に備えられている帯封機構における帯封動作を説明するための動作説明図である。
【図３】この発明の一実施形態に係る紙幣処理装置におけるテープ切り換え手段の一実施形態を説明する斜視図である。
【図４】この発明の一実施形態に係る紙幣処理装置に適用可能なテープ切り換え手段の他の構成例を図解的に示す斜視図である。
【図５】この発明の一実施形態に係る紙幣処理装置の制御回路ブロック図であり、この発明の特徴と関連する部分のみを示すブロック図である。
【図６】図５に示す制御部において行われるテープ切り換えのための制御動作フローチャートの一例を示す図である。
【符号の説明】
【００１７】
１    紙幣処理装置
６    識別ユニット（識別手段）
３２、３３、３４、３６    集積部（集積手段）
５１    帯封装置（帯封手段）
５２、５３、１０３〜１０６    リールテープ
５４    帯封機構
８５、９１    転換経路
８６、９２、１０８〜１１１    テープ繰り出し機構
９５、９６、１０２    シフト機構
【発明を実施するための最良の形態】
【００１８】
以下には、図面を参照して、この発明の実施形態について具体的に説明をする。
＜全体構成の概要説明＞
図１Ａおよび図１Ｂは、この発明の一実施形態に係る紙幣処理装置１の全体構成を示す図解的な正面縦断面図である。
この紙幣処理装置１は、図１Ａ（１）、図１Ｂ（１）に示すように、外観上、２つの筐体２および３が連結された構成をしている。【００１９】
まず、図１Ａ（２）を参照して、第１の筐体２には入金部、すなわちホッパ４が備えられている。また、ホッパ４にセットされた紙幣を取り込むための取り込み経路５、取り込まれる紙幣の金種、正損、真偽、表裏等を識別するための識別ユニット６、識別ユニット６で識別された紙幣を搬送するための搬送路７、８、９、１０、２つのリジェクト紙幣集積部１１、１２、および４つの集積部１３、１４、１５、１６が内蔵されている。【００２０】
識別ユニット６で識別された後の紙幣を搬送する搬送路７には２つの分岐爪１７、１８が備えられていて、分岐爪１７、１８を切り換えることにより、紙幣をリジェクト紙幣集積部１１、１２に集積させることができる。リジェクト紙幣とは、識別ユニット６において損券（汚れや破れにより損傷の大きい紙幣）、偽券等と判別された紙幣であり、これらリジェクト紙幣は、回収して再使用する紙幣とは区別され、リジェクト紙幣集積部１１、１２に集積される。各リジェクト紙幣集積部１１、１２には、与えられるリジェクト紙幣を１枚ずつ受け止めて集積するための羽根車１９、２０が備えられている。【００２１】
リジェクト紙幣以外の紙幣は、搬送路７から搬送路８へと搬送される。搬送路８には分岐爪２１が備えられており、分岐爪２１を切り換えることにより、紙幣を直接搬送路９へ搬送したり、反転路２２を経由して搬送路９へ搬送することができる。反転路２２は、紙幣の表裏を反転させるために設けられていて、ここを通る間に紙幣の表裏が反転される。
搬送路９は、搬送路８から直接与えられる紙幣と、反転路２２を経由して与えられる紙幣との搬送順序を変えないように搬送時間およびタイミングを調整し、紙幣を搬送路１０へ送る。【００２２】
搬送路１０は、たとえば略水平方向に延びていて、その下方にたとえば４つの集積部１３、１４、１５、１６が配列されている。搬送路１０に備えられた４つの分岐爪２３、２４、２５、２６を切り換えることにより、紙幣をいずれかの集積部１３〜１６に集積させることができる。各集積部１３〜１６には、それぞれ、搬送路１０から送られてくる紙幣を１枚ずつ受け止めて集積するための羽根車２７、２８、２９、３０が備えられている。【００２３】
搬送路１０において、分岐爪２３〜２６の切り換えを制御することにより、紙幣を隣接する筐体３に内蔵された搬送路３１へと送ることができる。
次に、図１Ｂ（２）を参照して、筐体３内には、たとえば上下方向に５つの集積部３２、３３、３４、３５、３６が配列されている。そしてこれら５つの集積部３２〜３６のいずれかを選択して紙幣を集積するために、搬送路３７、３８、３９、４０が備えられている。【００２４】
搬送路３１の分岐爪４１を切り換えることにより、紙幣を集積部３２に集積するか、搬送路３７へ送るかを切り換えられる。搬送路３７は、分岐爪４２を切り換えることにより、紙幣を集積部３３に集積するか、搬送路３８へ送るかを切り換えられる。搬送路３８は、分岐爪４３を切り換えることにより、紙幣を集積部３４に集積するか、搬送路３９へ送るかを切り換えられる。搬送路３９は、分岐爪４４を切り換えることにより、紙幣を集積部３５に集積するか、搬送路４０へ送るかを切り換えられる。搬送路４０の分岐爪４５は、この実施形態では固定されており、紙幣を集積部３６へ送るように案内する。各搬送路３１、３７〜４０には、集積部３２〜３６の入口に臨むようにたたき羽根４６、４７、４８、４９、５０が備えられている。たたき羽根４６〜５０は、搬送路３１、３７〜４０から集積部３２〜３６へ搬入されて自重で落下しようとする紙幣の後端を上から叩くことにより、紙幣を素早く集積させるものである。紙幣は、一枚ごとにたたき羽根４６〜５０で上方から押さえられて集積部３２〜３６へ集積される。【００２５】
筐体３内のたとえば下方位置には帯封装置５１が備えられている。帯封装置５１は、複数（たとえば２巻）のリールテープ５２、５３および帯封機構５４を有する。帯封装置５１は、リールテープ５２、５３から択一的にテープを繰り出し、帯封機構５４によって集積された紙幣をテープで結束（帯封）するものである。
筐体３内には、さらに、集積部３２〜３６に集積された紙幣を取り出し、帯封装置５１へ与え、帯封装置５１で帯封された（テープで結束された）紙幣束を筐体３外へ運んだり、また、集積部３２〜３６に集積された紙幣の枚数が１００枚に満たずに処理が終了した場合に、筐体３上部に設けられた紙幣返却部５６へ運ぶことのできる搬送装置５５が備えられている。搬送装置５５は、矢印Ａで示すように移動し得る。【００２６】
以上説明したように、この紙幣処理装置１は、回収されて入金口４から与えられる紙幣のうち、リジェクト紙幣はリジェクト紙幣集積部１１、１２に集積し、再使用する紙幣は、たとえば金種毎に分類し、バラ紙幣として集積部１３〜１６に集積したり、金種別に集積部３２〜３６に集積された所定枚数単位の集積紙幣を帯封装置５１で帯封して紙幣束に整理することができる。
＜帯封機構の動作説明＞
次に、搬送装置５５から与えられる紙幣を、帯封機構５４によりテープで結束する一連の動作について図２Ａおび図２Ｂを参照して説明をする。【００２７】
帯封機構５４には、上札締め５７、下札締め５８、ヒータ５９、カッター６０、テープ送り用のローラー対６１、送りガイド６２、テープを掴むためのホルダ６３、および束送りガイド６４が備えられている。（図２Ａ（１））これら各部材は、図示の便宜上、宙に浮いた状態で示されているが、実際には側面壁等から延びるアームや軸等により保持されている。【００２８】
また、図２Ａ（１）に図示されていないが、帯封機構５４には、集積紙幣を掴むための帯封用ハンドが備えられている。帯封用ハンドについては後述する。
ローラー対６１でテープＴを繰り出し、テープＴの先端近傍をホルダ６３で挟み、さらにローラー対６１でテープＴを送り出しながらホルダ６３を予め定める移動軌跡に沿って回転移動させることにより、テープＴは右回りに半円弧状に送り出される。これにより、集積紙幣の受け入れ準備が整う。（図２Ａ（２））
受け入れ準備ができた帯封機構５４に対し、搬送装置５５が集積紙幣Ｍを把持して搬送してくる。（図２Ａ（３））搬送装置５５は、ベースブロック６５と、ベースブロック６５の下端から略水平に突出している下フォーク６６と、下フォーク６６に対して上方から近接・離反する上下移動可能な押さえ用上フォーク６７とを有しており、下フォーク６６および下フォーク６７が搬送用ハンド６８として働く。集積紙幣Ｍは、下フォーク６６および下フォーク６７で下上から挟まれて保持され、帯封機構５４へ搬送される。【００２９】
帯封機構５４には、図２Ａ（１）において簡単に触れたように、搬送装置５５により搬送されてきた集積紙幣Ｍを、搬送用ハンド６８から受け取るための帯封用ハンド７０が備えられている。図２Ａ（４）に、帯封用ハンド７０と搬送装置５５の搬送用ハンド６８との位置関係を示す。図２Ａ（４）に示す搬送装置５５は、図２Ａ（３）に示す搬送装置５５と同じ位置に停止している。図２Ａ（４）では、上札締め５７、下札締め５８、ヒータ５９、カッター６０、ローラー対６１、ホルダ６３等の図示が省略され、図２Ａ（１）〜２Ａ（３）においては省略されていた帯封用ハンド７０のみが示されている。さらに、図２Ａ（５）は、搬送装置５５と帯封用ハンド７０との位置関係を示す平面図であり、図２Ａ（６）は、帯封用ハンド７０が閉じた状態の正面図である。【００３０】
帯封用ハンド７０は、下方に位置する受け部材７１および上方に位置する押さえ部材７２を含んでいる。受け部材７１および押さえ部材７２は、互いに近接する方向へ上下に移動することができ、図２Ａ（５）（６）に示すように、搬送用ハンド６８が保持している集積紙幣Ｍの、長さ方向に見た側方を保持することができる。そして帯封用ハンド７０が集積紙幣Ｍを保持した後、搬送用ハンド６８の上フォーク６７が上方へ移動し（図２Ａ（７））、搬送装置５５が図において右側へ移動することにより、集積紙幣Ｍの搬送用ハンド６８から帯封用ハンド７０への受け渡しが完了する。【００３１】
帯封用ハンド７０は、水平に前後方向にも移動することができる。帯封用ハンド７０が前後方向に移動することで、帯封機構５４内における集積紙幣Ｍの位置を前後方向に変位でき、集積紙幣ＭをテープＴで帯封する際の位置を調整することができる。
次に、図２Ｂを参照して、集積紙幣ＭをテープＴで結束する一連の処理動作を説明する。なお、図２Ｂでは、集積紙幣Ｍを保持している帯封用ハンド７０の図示は省略されている。しかし、集積紙幣Ｍは、帯封用ハンド７０によって、帯封動作中は一定位置に保持されている。【００３２】
まず、上札締め５７が下方へ変位し、テープＴの位置がずれないようにテープ揃えをする。（図２Ｂ（（１２））上札締め５７には、前後方向所定の位置に下面から上方へ窪んだテープガイド溝（図示せず）が形成されていて、このテープガイド溝内にテープＴが入ることにより、テープ揃えが行われる。
そして、その状態でホルダ６３が回転し、テープＴが集積紙幣Ｍの周囲に巻き付けられる。（図２Ｂ（１３））
テープＴの巻き付けが済むと、上札締め５７および下札締め５８が互いに近接方向に移動し、上下札締め５７、５８により集積紙幣Ｍは上下から挟まれて固定される。（図２Ｂ（１４））下札締め５８にも、前後方向に所定の位置にテープガイド溝が形成されており、上下札締め５７、５８で集積紙幣Ｍが上下から挟まれた状態においても、テープＴはその長さ方向に弛んだ状態である。そこで、ローラー対６１を逆転させ、テープＴを引き戻して、集積紙幣Ｍに巻き付けたテープＴを締めつける。（図２Ｂ（１５））
そして、ヒータ５９を動かし、ヒータでテープＴを加熱する。（図２Ｂ（１６））テープＴはヒートシールテープであり、ヒータ５９により加熱されると、重なり合った部分のテープ同士が貼り合わされる。【００３３】
次いで、カッター６０を変位させ、ローラー対６１から集積紙幣Ｍ方向へ延びているテープＴを切断する。（図２Ｂ（１７））
切断後、カッター６０が元の位置に戻され、ローラー対６１から集積紙幣Ｍ方向へ延び出たテープは送りガイド６２の位置まで引き戻される。一方、集積紙幣Ｍ側のテープＴは、ヒータ５９で端までなぞられ、テープＴの端までがヒートシールされる。（図２Ｂ（１８））
その後、ヒータ５９が元の位置に戻され（図２Ｂ（１９））、上下札締め５７、５８が互いに離反方向に開かれ、帯封が完了する。（図２Ｂ（２０））
次いで、テープＴを保持しているホルダ６３をテープＴから外すために、ホルダ６３の保持力が解除され、ホルダ６３が後方（紙面に垂直に奥方向）に変位され、ホルダ６３はテープＴから離れる。そして帯封された集積紙幣Ｍを挟んだ帯封用ハンド７０によって帯封された紙幣束Ｍは、束送りガイド６４に案内されては図において左方向へ搬送される。（図２Ｂ（２０））
なお、前述したように、帯封用ハンド７０から搬送用ハンド６８へ帯封された紙幣束Ｍを渡し、筐体３外へ排出することができる。または、図示しない収納庫へ運んでも構わない。【００３４】
また、帯封を２箇所に施す場合には、帯封用ハンド７０で、１箇所の帯封が行われた集積紙幣Ｍを保持したまま、帯封用ハンド７０が右方向へ移動し、その後に前述した図２Ａ（１）からのテープ準備および集積紙幣の受け入れ準備が行われ、そこへ帯封用ハンド７０で保持された紙幣束が移動される。
以上が、帯封機構５４による一連の帯封の動作である。
＜テープセット部およびテープ切り換え手段＞
次に、帯封装置５１に含まれているテープセット部８０の構成例を、具体的に説明する。【００３５】
図３は、この発明の一実施形態に係る紙幣処理装置１に備えられたテープセット部８０の構成例を後方側から見た斜視図である。図３（１）はテープリール５２からテープＴ１が繰り出される状態の斜視図、図３（２）はテープリール５３からテープＴ２が繰り出される状態の斜視図である。
図３（１）（２）を参照して、テープセット部８０は、ベース板８１を備え、ベース板８１にはたとえばその前方寄りにリールテープセット板８２が立設されている。リールテープセット板８２の左右両側面に、リールテープ５２、５３が、それぞれ、その中心軸が水平に左右方向を向くように取り付けられる。リールテープセット板８２に関連して、リール駆動モータ８３が備えられている。図示では、リールテープ５３を駆動するためのリール駆動モータ８３のみが現れているが、リールテープ５２を駆動するためのリール駆動モータも備えられている。リールテープ５２、５３に対してそれぞれ個別にリール駆動モータを設けるのは、リールテープ５２、５３の繰り出しを択一的に行うため、リールテープ５２、５３の直径（外径）が使用に伴い変化するからである。つまり、リールテープ５２、５３を個別に回転させなければ、適切なテープ繰り出しが行えないことを考慮したものである。【００３６】
また、リールテープ５２、５３を前方側に配置したのは、リールテープ５２、５３の交換が容易に行えるようにしたものである。なお、リールテープ５２、５３の交換時には、ベース板８１が引き出されるので、リールテープ５２、５３を含むリール切り換え機構全体が前方へ引き出される。
リールテープ５２が回転され、リールテープ５２から繰り出されるテープＴ１は、出口ローラー８４に案内され、ベース板８１に沿って水平方向後方へ引き出され、方向切り換えローラー８５に案内され、水平方向右向きに方向が切り換えられる。そしてその経路上に配置された引き出しローラー対８６に上下から挟持され、右方向へ送り出される。【００３７】
引き出しローラー対８６はテープ送りモータ８７により駆動される。引き出しローラー対８６の出口側（図３（１）において右側）には、引き出しローラー対８６から引き出されるテープの先端を検知するためのテープセンサ８８が備えられている。
図３（１）では、リールテープ５２から引き出されたテープＴ１を、引き出しローラー対８６から受け取るために、引き出しローラー対８６の出口側に隣接してローラー対６１が位置している。このローラー対６１は、既に説明した帯封機構５４に設けられているローラー対（図２Ａ（１）参照）である。ローラー対６１は、専用のテープ送りモータ（ステッピングモータ）８９により回転が制御される。【００３８】
リールテープ５３からのテープＴ２を繰り出すために、同様の機構が備えられている。すなわち、リールテープ５３から引き出されるテープＴ２をベース板８１に沿って略水平後方へ案内するための出口ローラー９０、出口ローラー９０に案内されて水平後方へ引き出されるテープＴ２の進行方向を略９０°変更して水平右方向へ方向を変えるための方向切り換えローラー９１、および方向が切り換えられたテープＴ２を引き出す引き出しローラー対９２が設けられている。引き出しローラー対９２はリールテープ５２のための引き出しローラー対８６と前後方向に同一軸線上に並ぶように配置されていて、引き出しローラー対８６の後方側に位置しており、専用のテープ送りモータ９３で回転される。引き出しローラー対９２の出口側にも、引き出しローラー対９２で引き出されるテープＴ２の先端を検知するためのテープセンサ９４が備えられている。【００３９】
この実施形態では、方向切り換えローラー８５、９１、引き出しローラー対８６、９２、テープ送りモータ８７、９３、テープセンサ８８、９４が共通の取り付けベース９５上に設けられており、取り付けベース９５を水平に前後にスライド移動させるためのシフト機構９６が備えられている。シフト機構９６は、ベース板８１に固定されたフレーム９７で保持されたシャフト９８を含む。シャフト９８はベース板８１に平行に、水平に前後方向に延びている。そしてこのシャフト９８に案内されて水平に前後方向に移動する移動ブロック９９が設けられている。移動ブロック９９にはスライド用モータ１００により駆動される駆動チェーン１０１がつながれている。スライド用モータ１００が回転されると、駆動チェーン１０１が動き、駆動チェーン１０１に接続された移動ブロック９９がシャフト９８に案内されて水平に前後方向に移動する。【００４０】
この移動ブロック９９には取り付けベース９５が連結されており、移動ブロック９９の移動に伴って、取り付けベース９５が前後方向に水平にスライド移動される。
以上のような構成であるから、スライド用モータ１００の回転を制御することにより、取り付けベース９５を水平に前後方向にスライド移動させ、取り付けベース９５上に備えられた引き出しローラー対８６をローラー対６１に臨ませた状態（図３（１）の状態）と、引き出しローラー対９２をローラー対６１に臨ませた状態（図３（２）の状態）とに切り換えることができる。よって、リールテープ５２のテープＴ１を繰り出すか、リールテープ５３のテープＴ２を繰り出すかを切り換えることができる。【００４１】
このように、この実施形態では、シフト機構９６によってテープを切り換えるための切り換え手段が構成されている。
そして、テープ切り換え手段は、リールテープ５２、５３は固定されたまま、それらリールテープ５２、５３からテープＴ１、Ｔ２を引き出すための引き出しローラー対８６、９２、テープ送りモータ８７、９３、方向切り換えローラー８５、９１をスライド移動により切り換える構成である。よって、テープ切り換えのための機構が簡素で、しかも小型の構成とすることができる。【００４２】
特に、この実施形態では、リールテープ５２、５３から繰り出されるテープＴ１、Ｔ２を方向切り換えローラー８５、９１により繰り出し方向を略９０°転換しているので、リールテープ５２、５３自体を固定したまま、帯封機構５４へ与えるテープの切り換えが良好に行える。
図３に示す実施形態では、リールテープ５２、５３からテープＴ１、Ｔ２を択一的に引き出す構成を説明したが、リールテープが３巻以上ある場合でも、それぞれのリールテープに対して方向切り換えローラー、引き出しローラー対およびテープ送りモータを設けることにより、対応することが可能である。
＜テープ切り換え手段の他の実施形態＞
図４は、この発明の他の実施形態に係るテープ切り換え手段の構成の概要を示す斜視図である。【００４３】
テープ切り換え手段１０２は、配置された複数のリールテープ全体を一体的にスライドさせる構成としてもよい。より具体的には、複数巻のリールテープ１０３、１０４、１０５、１０６…を、中心軸１０７が水平に直線上に並ぶように配置する。そして、各リールテープ１０３〜１０６に個別に設けられた引き出しローラー対１０８、１０９、１１０、１１１までを共通の取り付け部材（図示せず）に配置し、複数のリールテープ１０３〜１０６およびそれに対応付けられた引き出しローラー対１０８〜１１１を、軸１０７の方向に、水平に一体的にスライド移動可能な構成とする。【００４４】
かかる構成により、引き出しローラー対１０８〜１１１のいずれかを択一的に帯封機構５４のローラー対６１に臨ませることができる。よって、所望のテープを用いて集積紙幣束を帯封することができる。
この場合においては、複数のリールテープ１０３〜１０６をスライド移動させることになるが、複数のリールテープ１０３〜１０６から引き出されたテープは、リールテープ１０３〜１０６近傍に配置された引き出しローラー対１０８〜１１１により引き出される構成であり、複数のリールテープ全体をスライド移動させるために大きな配置空間が占有されるわけではなく、比較的コンパクトな構成とすることが可能である。
＜制御回路ブロック＞
図５は、紙幣処理装置１の特徴となる制御動作を実行するための制御回路ブロック図であり、この発明の特徴となる動作に必要な構成のみが示されている。【００４５】
紙幣処理装置１には、マイクロコンピュータ等で構成された制御部１２０が備えられている。制御部１２０は、識別ユニット６から与えられる紙幣の識別情報に基づいて、搬送路７〜１０における紙幣搬送を制御する。また、搬送装置５５（図１Ｂ参照）を制御し、集積部３２〜３６に集積された紙幣を取り出し、帯封機構５４へ搬送するように制御する。制御部１２０は、さらに、帯封装置５１の制御を行う。帯封装置５１には、シフト機構９６（図３参照）および帯封機構５４（図２Ａ、図２Ｂ参照）が含まれており、これらが制御部１２０で制御されることにより、集積紙幣が所定のテープで帯封される。
＜制御動作＞
次に、たとえば米国の金融機関において、回収されたドル紙幣を紙幣処理装置１で整理する場合の動作を例にとって、紙幣処理装置１の制御動作について説明をする。【００４６】
米国の金融機関では、回収された紙幣を１００枚単位で集積し、予め定める色のテープで帯封するという決まりになっている。たとえば、２０ドル紙幣は紫色、１０ドル紙幣は黄色、５ドル紙幣は赤色という具合である。
そこでこの実施形態に係る紙幣処理装置１では、制御部１２０により、搬送路７〜１０と、搬送装置５５および帯封装置５１（シフト機構９６、帯封機構５４）を以下のように制御することによって、効率良くたとえば２０ドル紙幣の帯封ができるように動作する。【００４７】
図６の流れに従い、図１Ａ、１Ｂ、図３および図５を参照して説明する。
制御部１２０は、識別ユニット６が識別した紙幣情報として、２０ドルが取り込まれたことを判別すると（ステップＳ１）、この２０ドルを集積する集積部として、たとえば集積部３２を設定する（ステップＳ２）。そして識別された２０ドル紙幣が集積部３２へ搬送されるように、搬送路７〜１０の分岐爪１８、２１、２３〜２６を切り換え、また搬送路３１の分岐爪４１を切り換えて、集積部３２に２０ドル紙幣を集積する。【００４８】
そして集積部３２に集積された２０ドル紙幣が１００枚に達したことを判別すると（ステップＳ３でＹＥＳ）、制御部１２０は、搬送装置５５を駆動させ、集積部３２に集積された１００枚の２０ドル紙幣を帯封機構５４へ搬送させる（ステップＳ４）。
制御部１２０は、上述した図６（１）の制御と並行して、帯封装置５１を図６（２）に示すように制御する。【００４９】
まず、制御部１２０は、テープセット部８０において、リールテープ５２のテープＴ１が帯封機構５４へ与えられるようになっているか否かの判別をする（ステップＳ１１）。すなわち、この実施形態では、リールテープ５２のテープＴ１が繰り出される状態がホームポジション（ＨＰ）と設定されており、通常繰り出されるテープは、リールテープ５２のテープＴ１と設定されている。【００５０】
このため、制御部１２０は、テープセット部８０がホームポジションでないとき、すなわち図３（２）に示すように、リールテープ５３のテープＴ２が搬送機構５４へ与えられるようになっている場合には、テープセット部８０を図３（２）から図３（１）の状態になるように切り換える（ステップＳ１２）。
ホームポジションへの切り換えは、先に説明したように、シフト機構９６により取り付けベース９５全体をスライド移動させ、引き出しローラー対８６がローラー対６１に臨む位置に変位されることにより行われる。【００５１】
ステップＳ１１でテープセット部８０がホームポジションか否かの判別がされ、テープセット部８０がホームポジションでない場合には、ステップＳ１２でテープセット部８０がホームポジションにセットされるから、帯封のために繰り出されるテープは、予め定められた２０ドル紙幣を束ねるためのテープとしておくことができ、帯封処理の開始がスムーズになる。【００５２】
次に、制御部１２０は２０ドルの帯封か否かの確認を行った後（ステップＳ１３）、２０ドルの帯封の場合には、帯封機構５４を動作させて帯封準備を行わせる（ステップＳ１４）。そして搬送装置５５により２０ドル紙幣１００枚が搬送されてくると（ステップＳ１５）、帯封機構５４によりそれを受け取らせ、帯封処理を行わせる（ステップＳ１６）。そして帯封された紙幣束が搬出される（ステップＳ１７）。【００５３】
この実施形態では、たとえば図３に示すように、テープセット部８０には２巻のリールテープ５２、５３、換言すれば、帯封する紙幣の種類分のリールテープをセットできる構成である。このように２巻しかリールテープがセットできない場合において、帯封する紙幣が２０ドルに限られているような場合には、２巻のリールテープを、同一種類の２０ドル用のリールテープとしてもよい。【００５４】
一方、図４に示すように、リールテープが３巻以上セット可能な場合には、使用頻度の高いたとえば２０ドル用のリールテープを２巻または３巻（複数巻）セットしておき、使用頻度の低いリールテープは１巻だけセットするという使用の仕方をしてもよい。
その場合において、使用頻度の高いリールテープが常に繰り出し位置になるように、テープセット部のホームポジションを設定しておけば、使用頻度の高いテープをスムーズに繰り出すことができ、迅速な帯封処理を実現することができる。【００５５】
また、ホームポジションの位置にしたとき、繰り出されるリールテープを交換し易い配置構造（たとえば、ホームポジションのリールテープが、テープ交換時に引き出した際に、手前に来るようにする等）とすることにより、使用頻度の高いリールテープを交換し易い状態に設置することができる。かかる構成により、テープ交換の容易な紙幣処理装置とすることができる。【００５６】
上述の実施形態においては、紙幣の額（金種）に応じて、帯封するテープの色を変える構成としたが、金種ではなく、たとえば正券と損券とにより、帯封するテープの色を切り換える構成としてもよい。具体的に説明すると、汚れや皺の少ない紙幣、すなわち正券と、汚れや皺の多い紙幣、すなわち損券とで、帯封するテープの色を切り換える構成としてもよい。たとえば、正券は白色テープで、損券は赤色テープで帯封する構成としてもよい。【００５７】
さらに、紙幣が偽札か、本物かを識別し、紙幣の真偽に応じて、帯封するテープの色を切り換えてもよい。たとえば、偽札は黒色テープで帯封し、本物は白色テープで帯封する構成としてもよい。
さらに、複数の国の紙幣を識別して帯封することも可能である。たとえば、複数の国の紙幣を、国毎に分類し、国毎に色の異なるテープで帯封するように、テープを切り換える構成とすることもできる。【００５８】
そして、この発明によれば、帯封するテープを切り換えることによって、紙幣束を帯封しているテープの色により、一目で紙幣束の種類を見分けられるという効果を奏する。
この発明は、以上説明した実施形態に限定されるものではなく、請求項記載の範囲内において種々の変更が可能である。
【図１Ａ】
2009107207.tif 000003
【図１Ｂ】
2009107207.tif 000004
【図２Ａ】
2009107207.tif 000005
【図２Ｂ】
2009107207.tif 000006
【図３】
2009107207.tif 000007
【図４】
2009107207.tif 000008
【図５】
2009107207.tif 000009
【図６】
2009107207.tif 000010
【国際調査報告】
2009107207.tif 000011
2009107207.tif 000012
2009107207.tif 000013
2009107207.tif 000014